(57)【要約】【解決手段】左右それぞれにおいてテンプル（１７）を有しかつフレーム（４）を有する眼鏡フレームであって、左右それぞれにおいて受入要素（５）を含み、前記受入要素（５）は前記テンプル（１７）を取り付けるためのものであり、前記受入要素（５）は、前記テンプル（１７）に向かう方向に開口する凹部（６）を含み、接続要素（３）が前記凹部内に設けられ、そして、少なくとも２つの個別の構成部分（１、２）を含み、それらは組み立て状態において、互いに接続要素（３）に対して張力付与し、前記受入要素（５）の前記凹部（６）に対して固定的に保持することで前記接続要素（３）を形成する。【選択図】図３
2010525383.tif 000002
【特許請求の範囲】
【請求項１】
左右それぞれにおいてテンプル（１７）を有しかつフレーム（４）を有する眼鏡フレームであって、
左右それぞれにおいて受入要素（５）を含み、前記受入要素（５）は前記テンプル（１７）を取り付けるためのものであり、前記受入要素（５）は、前記テンプル（１７）に向かう方向に開口する凹部（６）を含み、接続要素（３）が前記凹部内に設けられ、前記テンプル側端部は、開いた状態の前記テンプル（１７）の方向を指し、前記端部は、前記テンプル（１７）の長さと比較して比較的短く、前記端部上において前記テンプル（１７）がピボットジョイントされ、
前記接続要素（３）は、少なくとも２つの個別の構成部分（１、２）を含み、前記個別の構成部分（１、２）は、組み立て状態において前記接続要素（３）を形成している際、互いに張力付与することにより、前記接続要素（３）を前記受入要素（５）の前記凹部（６）における穴に対して固定的に保持するように設計されることを特徴とする眼鏡フレーム。
【請求項２】
請求項１に記載の眼鏡フレームにおいて、
前記凹部（６）はアンダーカット部（８）を含み、組み立て状態において、前記アンダーカット部（８）に対し、前記接続要素（３）の少なくとも１つの構成部分（１、２）が接することを特徴とする眼鏡フレーム。
【請求項３】
請求項２に記載の眼鏡フレームにおいて、
前記接続部分（３）は第１の構成部分（２）および第２の構成部分（１）を含み、
前記第１の構成部分（２）は端部（７）を含み、前記端部（７）の形状は、前記凹部（６）の前記アンダーカット部（８）に対して前記端部（７）が接することで、当該形状により前記アンダーカット部（８）が補完されるように形成され、
前記第２の構成部分（１）は端部（９）を含み、前記端部（９）はその端部上において形状を有し、当該形状は、その前記凹部（６）内への挿入時、前記第１の個別のピース（２）に前記アンダーカット部（８）への張力を付加するように形成されることを特徴とする眼鏡フレーム。
【請求項４】
請求項２又は３に記載の眼鏡フレームにおいて、
前記凹部（６）は、前記テンプル（１７）と反対方向に楔状に幅広になり、前記テンプル（１７）に向いているその開口部の少なくとも１つの側縁部（８）上にあることを特徴とする眼鏡フレーム。
【請求項５】
前記請求項のいずれか１つに記載の眼鏡フレームにおいて、
前記構成部分（１、２）は、特に平坦な金属板などの材料で作製され、前記テンプル（１７）の長手方向においてその長さに対して直角であるとき、極めて幅狭の材料幅を示すことを特徴とする眼鏡フレーム。
【請求項６】
請求項５に記載の眼鏡フレームにおいて、
構成部分（１、２）と反対側の前記受入要素（５）の前記凹部（６）は、少なくとも鼻部（１１、１３）およびその他の構成部分（２、１）を含み、前記鼻部（１１、１３）を受け入れる少なくとも１つの凹部（１２、１４）を含み、前記凹部（１２、１４）は、前記テンプル（１７）の前記長手方向において前記部分が相互に移動できないように設計されることを特徴とする眼鏡フレーム。
【請求項７】
前記請求項のいずれか１つに記載の眼鏡フレームにおいて、
前記構成部分（１、２）の前記端部（７、９）は、前記受入要素（５）の前記凹部（６）との圧入を形成することを特徴とする眼鏡フレーム。
【請求項８】
前記請求項のいずれか１つに記載の眼鏡フレームにおいて、
前記２つの構成部分（１、２）のうち少なくとも１つは、さらなる固定要素（２１）を含み、前記さらなる固定要素（２１）は、前記構成部分（１、２）が前記凹部（６）から抜き出されるのを回避することを特徴とする眼鏡フレーム。
【請求項９】
前記請求項のいずれか１つに記載の眼鏡フレームにおいて、
前記第１の構成部分（１）は第１の凹部（１６）を含み、前記第２の構成部分（２）は第２の凹部（１５）を含み、前記第１の凹部（１６）および前記第２の凹部（１５）は、前記開かれたテンプル（１７）の方向に対して垂直なジョイント軸において配置されることを特徴とする眼鏡フレーム。
【請求項１０】
請求項９に記載の眼鏡フレームにおいて、
前記テンプル（１７）の前記マウント部側端部は、３個の相互に平行な板バネ（１８、１９、２０）に分割され、前記テンプルが開かれた状態において、その自由端部が前記眼鏡装着者から離れて回転された前記接続要素（３）の表面に接した状態で中央板バネ（１８）が設けられ、前記接続要素（３）は前記第１の構成部分（２）および前記第２の構成部分（１）から形成され、前記２つの外側板バネ（１９、２０）は、前記眼鏡に対向する前記接続要素（３）の表面に接した後、各場合において、前記構成部分（１、２）の前記垂直凹部（１５、１６）を通り、最終的には、前記眼鏡装着者から離れて対向する前記接続要素（３）の前記表面に接することを特徴とする眼鏡フレーム。
【請求項１１】
前記請求項のいずれか１つに記載の眼鏡フレームにおいて、
スリーブ（１０）が接続要素（３）上にスライドすることができることを特徴とする眼鏡フレーム。
【請求項１２】
前記請求項のいずれか１つに記載の眼鏡フレームにおいて、
前記受入要素（５）は前記フレーム（４）と一体成型されることを特徴とする眼鏡フレーム。
【発明の詳細な説明】
【技術分野】
【０００１】
本発明は、眼鏡フレームに関し、特に、ねじ無しヒンジ機構を有する眼鏡フレームに関する。
【背景技術】
【０００２】
先行技術から、異なる種類のジョイント機構を用いた無数の眼鏡フレームが公知である。最も一般的な変形例は、以下のようなヒンジ機構に基づいている。当該ヒンジ機構では、ピンが前記フレームおよび／又は前記マウント部上に配置され、これらのピンはテンプルのマウント部側端部上に配置される、対応するジョイント部分と協働する。前記２つの部分は共に押され、特殊なねじにより、回転可能に接続される。ほとんどのフレーム（特に、矯正レンズと共に用いられるフレーム）の場合、前記マウント部の開閉は、いわゆるロッキングブロックによって行われる。また、レンズを直接フレームに取り付けることも考えられ、その場合、ねじは前記レンズ内に直接ねじ込まれる。フレーム無しの眼鏡の場合、テンプルは延長ピースを介してレンズ内に直接ねじ込まれる。
【０００３】
ピボットジョイントは、眼鏡フレームのうち最も大きな動的応力を受ける部品であるため、簡潔さの理由のため、従来のピボットジョイントを用いずにいくつかの解決法がなされてきた。
【０００４】
例えば、米国特許第３，１５５，９８２号明細書（特許文献１）において、眼鏡テンプルがレンズを保持するマウント部の前側部分と直接相互作用する眼鏡についての提案がある。この点について、前記テンプルのマウント部側端部は３つの板バネに分割され、中央板バネは前記マウント部分の外側縁部に接し、これにより、２つの外側板バネがその端部に形成されたフックを用い、これらのフックは前記外側縁部近隣の主要部分内に配置される開口部内において係合する。
【０００５】
同様の機構が、仏国特許発明第１００９３４５号明細書（特許文献２）から公知である。この特許において開示されている眼鏡フレームにおいて、テンプルは同様に端部上で３つの板バネに分割され、前記端部は、マウント部上においてテーパー付けされる。前記マウント部そのものの上には、Ｕ字型の延長ピースが左右に設けられ、前記延長ピースの中心部分はジョイントを形成し、前記ジョイント内において、フック形状に屈曲された端部が前記３つの板バネの中央と係合する。２つの外側板バネは、その長さ全体に沿って直線状に延び、前記テンプルが開かれると、その端部が、装着者から外方に向いた延長ピースの側部上の側面および前記装着者に対向する眼鏡マウント部表面上の前面に接し、その結果、前記テンプルは開いた状態で安定する。
【先行技術文献】
【特許文献】
【０００６】
【特許文献１】米国特許第３，１５５，９８２号明細書
【特許文献２】仏国特許発明第１００９３４５号明細書
【特許文献３】欧州特許第０８６３４２４号明細書
【特許文献４】独国特許出願公開第１０２００５０１９８５０号明細書
【発明の概要】
【発明が解決しようとする課題】
【０００７】
より簡単な設計が、欧州特許第０８６３４２４号明細書（特許文献３）に提案されている。同特許では、前記フレームおよび／又は前記マウント部内において既に一体化されておりかつ３つの板バネを有するテンプルの原則を採用したジョイント接続に関する解決法を統合している。接続要素が、前記マウント部上の左右両方に設けられる。これは、ジョイント軸を構成する上側および下側凹部を含む。前記ジョイント軸は、前記開かれたテンプルの方向に対して垂直に延びる。前記テンプルが開かれると、前記外側板バネは、前記装着者に対向する前記接続要素表面に接し、屈曲部により、前記接続要素内の凹部をクランプする。これらの屈曲部は、その自由端部上に設けられる。それと同時に、前記中央板バネは、前記接続要素の対向表面に接する。よって、簡単な様態で、前記マウント部と直接係合し、かつねじなどの従来の種類の接続を不要とするジョイントが得られる。その際、レンズを容易に交換することができるよう、前記接続要素は２つに分割される。このような眼鏡の部品は全て板金製である。しかし、この機構の場合、これらの接続要素は前記フレームに一体接続されているため、前記マウント部および／又は前記フレームを前記接続要素と同一材料で構成しなければならないという不利点がある。
【０００８】
独国特許出願公開第１０２００５０１９８５０号明細書（特許文献４）から、眼鏡フレームが公知であり、各場合において、受入要素が前記フレームの両側に設けられ、前記フレームは、前記テンプル用接続要素の２つのクリップによって完全包囲され、前記クリップは、前記受入要素の外面上に設けられた対応する溝部内に受け入れられる。
【０００９】
同特許出願から始まって、本発明の目的は、フレームと眼鏡フレームのテンプルとの間の接続をさらに形成して、組み立てを容易にすることである。
【課題を解決するための手段】
【００１０】
この問題は、請求項１に記載の特徴を有する眼鏡フレームにより、解消される。
【００１１】
本発明が基本とするのは、前記受入要素が前記テンプルの方向に開く凹部を含み、前記テンプル内に接続要素が受け入れられ、その前記テンプル側端部は、開かれたとき、前記テンプルの方向を指すということである。前記テンプルの長さと比較すると、前記端部は比較的短く、前記テンプルはピボットジョイントされる。前記接続要素は、少なくとも２つの構成部分で構成される。これらの構成部分は、組み立て状態で接続要素を形成している際、互いに張力付与することにより、前記接続要素を前記受入要素の前記凹部中の穴に対して固定的に保持するように設計される。
【００１２】
ここで、張力付与という用語が意味するのは、これらの構成部分が前記受入要素の前記凹部内に完全に受け入れられかつ／又はスライドされ、それと同時に、前記接続要素を形成するとき、前記２つの構成部分は前記凹部内において互いに向かって相対運動することを相互に回避することである。前記構成部分によって前記接続要素が一度形成されると、全体として前記受入要素の前記凹部からこれ以上取り外せなくなる。
【００１３】
この目的のため、前記構成部分は、相互に力を作用させるか、又は、前記凹部内における自身の動きを単純に相互にブロックし合うことができ、これを通じて、前記自己形成された接続要素を前記凹部内部において穴に対して固定する。
【００１４】
換言すれば、本発明によれば、前記構成部分を同時に前記凹部から取り外すことはできないが、前記構成部分を個別かつ逐次的に挿入および／又は抜出することができるように、一方側の前記接続要素の構成部分と、他方側の前記受入要素の前記凹部との両方を設計する。
【００１５】
前記受入要素中の前記凹部は、好適には前記眼鏡フレームにワンピースとして接続され、例えばフライス加工によって作製することができる。
【００１６】
本発明による眼鏡フレームの一実施形態において、前記凹部は、少なくとも１つのアンダーカット部を含む。組み立て状態において、前記アンダーカット部上に、前記接続要素の少なくとも１つの構成部分が接する。前記アンダーカット部は、この部分と相互作用する前記構成部分が前記凹部から前記テンプルに向かって抜き出すことができないように設計される。
【００１７】
この点について、好適な実施形態において、前記接続要素は、第１の構成部分および第２の構成部分を含む。前記第１の構成部分は、前記テンプルから離れて対向するその端部上において、その形状が前記アンダーカット部を補完するように前記受入要素の凹部の前記アンダーカット部に接するように形成される形状を含む。前記第２の構成部分は、前記テンプルから離れて対向するその端部上において、前記受入要素凹部内へ挿入されると、前記第１の構成部分を前記アンダーカット部に対して張力付加しかつ／又は前記アンダーカット部に対して接するように形成される形状を含む。
【００１８】
特定の実施形態において、前記アンダーカット部は連続的形状（特に楔状）として設計され、前記凹部は、前記テンプルに向かって設けられたその開口部の少なくとも１つの側縁部上において、前記テンプルに対して反対方向にいくにつれて幅広になる。
【００１９】
その後、同様の様式で、前記第１の構成部分のフレーム側端部の形状は、その形状が前記アンダーカット部を補完するような様態で隣接が可能になるように形成される。これを通じて取り出される正方向ロック（閉じた形（ｆｏｒｍ  ｃｌｏｓｕｒｅ）とは別に、前記第２の構成部分が前記凹部内に挿入されたとき、非正方向ロック（閉じた力系（ｆｏｒｃｅ  ｃｌｏｓｕｒｅ））も前記接続を形成することができる。
【００２０】
前記構成部分が相互に及ぼす力に加えて、前記構成部分によって相互連結された前記接続要素に対して前記非正方向ロックも生じさせることができ、前記凹部は、前記構成部分の間（およびよって一方の前記接続要素と他方の前記受入要素の前記凹部との間）に、既定された圧力嵌め（圧入）が形成可能なような寸法公差を含む。
【００２１】
さらなる有利な実施形態において、少なくとも１つの構成部分は、さらなる固定要素を含む。前記さらなる固定要素は、前記受入要素の凹部の内側部分中の対応する開口部と協調する。好適には、これらは、留め具又は靭帯の形態のクランピング又はロッキング要素であり、前記構成部分上に設けられ、スライド方向と反対方向に角度付けされ、これにより、前記固定要素は、前記構成部分の（挿入ではなく）抜き出しに対して抵抗を生じさせる。
【００２２】
好適には、前記接続要素の前記構成部分および前記眼鏡フレームの前記テンプルは、規定された厚みを持つ平坦な金属板から作製される。そして、前記受入要素中の凹部は、前記眼鏡フレームに対して直角方向において対応する幅を有する。
【００２３】
さらなる実施形態において、一方で安定性を得るために前記接続要素をねじれ抵抗を持つように形成し、他方で前記接続要素をさらなる支持手段として取り付けるために前記部分の相互の張力付与を可能にするために、前記受入要素の凹部と反対側の構成部分は、少なくとも鼻又は鼻状突出部を含む。前記鼻又は鼻状突出部は前記構成部分に向かって方向付けられ、他方の構成部分は、前記鼻を受け入れるための、少なくとも近接した形状補完空間および／又は凹部を含む。前記空間および／又は凹部は、前記構成部分が前記受入要素の前記凹部中に完全に受け入れられた際に、前記部分が前記テンプルの長手方向において相互に移動できないように設計される。
【００２４】
前記第１の構成部分が内部に既に挿入されている前記凹部内へ前記第２の構成部分が挿入されると、前記鼻および開口空間から形成されたこの接続は単純にバイパスされ、これにより、前記第１の構成部分および前記第２の構成部分は、短時間の間、互いに直角に屈曲される。板金を用いた設計により、他に何もしなくても、これが可能になる。
【００２５】
別に屈曲されたときに発生するばね効果により、前記１つの構成部分の完全受入は、先ず前記受入要素凹部内部で発生し、その後、その鼻部が他方の構成部分の自由空間内へと戻り、その結果、前記構成部分間の接続が安定し、ねじれ抵抗が得られた様態で、前記テンプルの連接のための前記接続要素が形成される。
【００２６】
本発明によれば、前記接続要素および前記受入要素を用いた接続機構により、一方で前記フレームの材料と、他方で前記テンプルおよびその他の接続要素の材料とを異なって選択することが可能になり、両者は相互に適合する必要はない。前記テンプルおよび前記接続要素は金属で作製することができる一方、一体成型された受入要素を備えた前記眼鏡フレームは、ホーン又はアセテートで作製することができる。
【００２７】
平坦な材料で作製された前記接続要素に対して十分な安定性を付与するために、本発明の眼鏡フレームのさらなる実施形態において、溝部部位を設けることができる。前記溝部部位は、前記受入要素の端部上に垂直方向に前記テンプルの方向に延びる。前記テンプル内には、前記接続要素の構成部分の部位を少なくとも部分的に受け入れることができる。
【００２８】
前記テンプルは前記接続要素に連結され、好適には前記した欧州特許第０８６３４２４号明細書（特許文献３：同特許について、言及が明示的になされる。）から公知のものにヒンジ機構を用いる。
【００２９】
このために、前記接続要素の前記第１の構成部分は第１の凹部を含み、前記接続要素の前記第２の構成部分は第２の凹部を含む。前記第２の凹部は、前記開かれたテンプルの方向に対して垂直に延びるヒンジ軸を形成する。
【００３０】
前記受入要素上の前記テンプルのテーパー付き端部は、３つの相互に平行な板バネに分割される。前記眼鏡フレームが開かれた状態の前記テンプルと組み立てられると、中央板バネが、その自由端部が前記眼鏡装着者から離れた前記接続要素の表面に対して接した状態で配置される。前記接続要素は前記構成部分から組み立て状態において形成される。その自由端部の方向において、外側板バネは、先ず、前記眼鏡に対向する前記接続要素の表面に接し、その後各場合において、前記接続要素の垂直凹部を通じて送られ、最終的には、前記眼鏡装着者から離れて対向する前記接続要素の表面に接する。理想的には、前記外側板バネは、その自由端部の近隣において屈曲部を含むとよく、前記屈曲部により、前記眼鏡が前記接続要素から滑り落ちることが回避され、かつ、前記眼鏡フレームがその折り畳み状態にある際に前記テンプルが安定する。
【図面の簡単な説明】
【００３１】
ここで、添付図面に記載の例示的実施形態に基づいて、本発明についてさらに説明する。以下が示される。
【図１ａ】図１ａは、本発明による、第１の実施形態における接続要素の構成部分を示す。
【図１ｂ】図１ｂは、本発明による、第２の実施形態における接続要素の構成部分を示す。
【図２】図２は、断面としての模式的分解図であり、受入要素および接続要素を備えたフレームの一側部を示す。
【図３】図３は、断面としての模式図であり、図２の受入要素および接続要素が組立状態にある様子を示す。
【図４】図４は、組み立てられた接続要素中にヒンジマウントされたテンプル端部の一部の模式図である。
【図５】図５は、例として、さらなる実施形態における構成部分を示す。
【発明を実施するための形態】
【００３２】
図１ａおよび図１ｂにおいて、本発明による眼鏡フレームにテンプルを取り付けるための接続要素の構成部分の例が図示されている。
【００３３】
図２および図３から分かるように、双方の実施形態において、前記接続要素は、上側構成部分１および下側構成部分２からなる。これらの上側構成部分１および下側構成部分２は、組立状態の接続要素３を共に形成する。
【００３４】
断面として、図２は、本発明による眼鏡フレームの一側部を示す。
【００３５】
前記眼鏡フレームは、フレーム４を含む。フレーム４は、そのそれぞれの側部上において、ブロック形状の受入要素５を有する。受入要素５は一体成型される。
【００３６】
受入要素５は、フレーム４の側から若干の角度で突出し、好適には角柱形状にすることができる。
【００３７】
受入要素５は凹部６を有する。凹部６は、眼鏡テンプルの方向に開く（ここでは図示せず）。凹部６は、例えばフライス加工又は鋳造により、受入要素５内に形成することができる。
【００３８】
凹部６は、接続要素３を受け入れる機能を果たす。接続要素３は、上側構成部分１および下側構成部分２から形成される。
【００３９】
下側構成部分２は、鼻部７を含む。鼻部７は、楔形状内で幅広になり、前記テンプルから離れて対向する。形状補完接続を形成するために、凹部６は、対応する様式で、下側楔形状の幅拡大縁部８を含み、これにより、前記テンプルの方向において見えるように、凹部６中にアンダーカット部が形成される。接続要素３が組み立てられると、鼻部７はこの縁部８に接する。
【００４０】
図２に示すように、下側構成部分２が、先ず凹部６内に受け入れられる。その後、図３に示すように、上側構成部分１は直線状鼻部９と共に凹部６内に押し込まれる。
【００４１】
これと関連して、上側構成部分１は、凹部６内の下側構成部分２と共に張力を持ち、これにより、下側構成部分２が前記アンダーカット部を形成するこの凹部６の縁部８において保持され、その結果、以下のような結果がさらに得られる。すなわち、全てにおいて、接続要素３は、フレーム４の受入要素５の穴に対して固定される。
【００４２】
さらなる安定化のため、フレーム４から離れて対向する構成部分１および２の側上にスリーブ１０をスライドさせることができる。
【００４３】
接続要素３は、板金などの平坦材料で作製され、好適には前記テンプルと同一の材料で作製される。
【００４４】
そのため、本発明によれば、上側構成部分１と下側構成部分２との間の接続要素６のホルダーを支持する張力が以下のような様式でさらに生じる。すなわち、一実施形態において、下側構成部分２は、上側構成部分１に向く鼻部１１を含み、上側構成部分１は、上側構成部分１の凹部１２上に受け入れられ（図１ａ）、又は、別の実施形態において、上側構成部分１は、下側構成部分２に向く鼻部１３を含み、下側構成部分２は、下側部分２の凹部１４内に受け入れられる（図１ｂ）。
【００４５】
どちらの場合においても、鼻部１１および／又は１３ならびに凹部１２および／又は１４からの接続は、受入要素５の凹部６中のアンダーカット部と共に、前記テンプル方向への部分１および２の抜き出しに対して抵抗を形成する。本発明に係る実施形態によれば、これが可能なのは、部分１および２の挿入の場合と同様に、挿入および／又は抜き出し時において、構成部分１および２が直角にその長手方向において相互に対して屈曲される場合のみである。
【００４６】
図１ａ〜図４に示すように、上側構成部分１は上側凹部１５を含み、同様に、下側構成部分２は下側凹部１６を含む。下側凹部１６は、ジョイント軸を形成するように、垂直アライメントにおいて配置される。
【００４７】
ここで、テンプル１７は、その端部上に３つの相互に平行な板バネを含む。前記端部は、前記フレーム４、中央板バネ１８、ならびに２つの外側板バネ１９および２０に方向付けられる。
【００４８】
図４に示すように、外側板バネ１９および２０は、接続要素３の表面に接する。接続要素３は、装着者に対向し、組み立て時において、構成部分１および２によって形成され、その後、凹部１５および１６上に下方クランプされ、前記眼鏡装着者から離れて対向する接続要素３の表面に接し、その際、中央板バネ１８は、接続要素３の表面に接する。
【００４９】
テンプル１７は簡単な方法で旋回させることができ、凹部１５および１６はジョイント軸を形成し、中央板バネ１８のカウンターベアリングとして前記装着者から離れて対向する接続要素３の表面は、旋回時にばね作用を形成する機能を持つ。
【００５０】
図５は、変形例における２つの構成部分を示す。その際、下側構成部分２は、３つの鼻部および／又はフック２１で構成される。これらの３つの鼻部および／又はフック２１は、一列に配置され、後方に対向する（すなわち、挿入方向に対して方向付けられる）。
【００５１】
これらの鼻部２１は、受入要素５の凹部６内の対応する開口部と協働することができる。前記対応する開口部内には、これらの鼻部２１が形状補完様態で実質的に係合する。あるいは、これらの鼻部２１は、受入要素５の材料よりもずっと高い強度を有し、また、受入要素５の材料が例えば加熱された場合、そして場合によっては組み立て時において前記第１の構成部分１によって及ぼされる抵抗による支援により、これらに単純に押し込まれる。これらの鼻部２１により、受入要素５内において接続要素３がさらに安定し、また、構成部分２の抜き出しが回避される。
【図１ａ】
2010525383.tif 000003
【図１ｂ】
2010525383.tif 000004
【図２】
2010525383.tif 000005
【図３】
2010525383.tif 000006
【図４】
2010525383.tif 000007
【図５】
2010525383.tif 000008
【国際調査報告】
2010525383.tif 000009
2010525383.tif 000010
2010525383.tif 000011
2010525383.tif 000012